(57)【要約】【課題】  例えば、サポータの選択の自由度の点で有利なレンズ装置を提供することを目的とする。【解決手段】  レンズ装置は、カメラ装置に着脱可能なレンズ装置であって、前記カメラ装置あるいは支持部材の係合部と係合する係合部と、前記係合部の係合により前記カメラ装置あるいは前記支持部材のハンガーマウント基準面と当接するハンガーマウント基準面と、を有する筐体と、前記筐体内に構成され、前記カメラ装置の基準径部と嵌合し、前記カメラ装置と光軸を合わせる基準径部と、前記カメラ装置の前記基準径部のフランジとバヨネット方式で固定される前記基準径部のフランジと、を有し、前記カメラ装置の前記フランジと当接する前記フランジの面であるバヨネットマウント基準面は、前記ハンガーマウント基準面よりも被写体側に構成されることを特徴とする。【選択図】  図１
2019211622.tif 000002
【特許請求の範囲】
【請求項１】
カメラ装置に着脱可能であり物体側から像側へ光を透過して像を形成するレンズ装置であって、
前記カメラ装置を支持する支持部材に係合する係合部と、前記係合部による係合により前記支持部材に接する第１基準面と、を有する筐体と、
前記カメラ装置に接する第２基準面を有する基準部材と、
前記カメラ装置に前記基準部材を固定する固定部材と、
を有し、
前記第２基準面は、前記第１基準面よりも物体側に形成されている、
ことを特徴とするレンズ装置。
【請求項２】
前記筐体の外側から前記固定部材を操作するための操作部材を有することを特徴とする請求項１に記載のレンズ装置。
【請求項３】
前記筐体は、切欠き部を形成され、
前記操作部材は、前記切欠き部を介して前記筐体の内外にわたって延びている、
ことを特徴とする請求項２に記載のレンズ装置。
【請求項４】
請求項１乃至３のうちいずれか１項に記載のレンズ装置と、
前記レンズ装置の像面に配された撮像素子を有するカメラ装置と、
を有することを特徴とする撮像装置。
【請求項５】
前記レンズ装置と前記カメラ装置とを支持する支持部材を有することを特徴とする請求項４に記載の撮像装置。
【発明の詳細な説明】
【技術分野】
【０００１】
本発明は、レンズ装置および撮像装置に関する。
【背景技術】
【０００２】
従来、カメラ装置あるいはサポータへの放送用大型レンズ装置の取り付け方式には、バヨネット方式とハンガーマウント方式との両方が採用されている（特許文献１、２）。
【０００３】
バヨネット方式とは、カメラ本体側およびレンズ鏡筒側の光軸合せ基準径部を嵌合させると共に、カメラ本体側およびレンズ鏡筒側の一方に設けられた取り付け用フランジ面を他方に設けられたバヨネットマウント基準面に当接させる取り付け方式である。
【０００４】
ハンガーマウント方式とは、カメラ装置およびレンズ装置のそれぞれに設けられた楔状部材を互いに係合させ、カメラ装置のハンガーマウント基準面とレンズ装置のハンガーマウント基準面とを当接させる取り付け方式である。
【０００５】
ところで、放送用のカメラ装置およびレンズ装置のインターフェイスの規格では、カメラ装置の撮影フォーマットやイメージセンサーのサイズによって、カメラ装置の撮像面からマウントフランジ面までの距離（フランジバック長）が規定されている。また、撮影フォーマットによっては、撮像面からハンガーマウント基準面までの距離（ハンガー側フランジバック長）も規定されている。たとえば、２／３型４Ｋセンサー搭載カメラ装置とレンズ装置とのインターフェイスでは、フランジバック長は４８ｍｍ、撮像面からハンガーマウント基準面までの距離は６９ｍｍで規定されている。１．２５型８Ｋセンサー搭載カメラ装置とレンズ装置とのインターフェイスでは、フランジバック長は８０ｍｍで規定されているものの、撮像面からハンガーマウント基準面までの距離は規定されていない。したがって、撮影機材（カメラ装置、レンズ装置、サポータなど）は、それらの撮影フォーマットによって、それぞれの規格に則した形状で設計されている。
【先行技術文献】
【特許文献】
【０００６】
【特許文献１】特開２００３−３４４９２５号公報
【特許文献２】特開２００５−１４８３３０号公報
【発明の概要】
【発明が解決しようとする課題】
【０００７】
サポータに、光軸の方向におけるカメラの位置を変更可能なスライド機構を設けることにより、複数種類のフランジバック長への対応が可能となりうるものの、そのようなスライド機構のないサポータでは、そのような対応はできない。
【０００８】
本発明は、例えば、サポータの選択の自由度の点で有利なレンズ装置を提供することである。
【課題を解決するための手段】
【０００９】
本発明のレンズ装置は、カメラ装置に着脱可能であり物体側から像側へ光を透過して像を形成するレンズ装置であって、前記カメラ装置を支持する支持部材に係合する係合部と、前記係合部による係合により前記支持部材に接する第１基準面と、を有する筐体と、前記カメラ装置に接する第２基準面を有する基準部材と、前記カメラ装置に前記基準部材を固定する固定部材と、を有し、前記第２基準面は、前記第１基準面よりも物体側に形成されている、ことを特徴とする。
【発明の効果】
【００１０】
本発明によれば、例えば、サポータの選択の自由度の点で有利なレンズ装置を提供することができる。
【図面の簡単な説明】
【００１１】
【図１】本実施例の撮影システム概略図
【図２】本実施例の撮影システム外観図
【図３】レンズ装置のマウント寸法図
【発明を実施するための形態】
【００１２】
以下に、本発明の好ましい実施の形態を、添付の図面に基づいて詳細に説明する。図１は、本発明の実施形態にかかわる撮影システムの概略図、図２は外観図である。図３は本実施例のレンズ装置のマウント部の寸法関係を示す図である。
【００１３】
図１、図２を用いて、カメラ装置に着脱可能なレンズ装置１をカメラ装置２およびサポータ（支持部材）３のそれぞれに接続する方法について説明する。サポータ３はレンズ装置１を保持するためのレンズ保持部３１と、カメラ装置２を固定するカメラ固定部３２と、サポータ３を三脚（不図示）に固定するためのサポータ固定部３３で構成されている。カメラ装置２はカメラ固定部３２に固定され、レンズ装置１はレンズ保持部３１に保持されている。レンズ装置１のマウント筐体１１およびサポータ３には、楔状のレンズ側ハンガー（係合部）１２、サポータ側ハンガー（係合部）３４が設けられている。レンズ側ハンガー１２およびサポータ側ハンガー３４が互いに係合することで、レンズ側マウント面（第１基準面）１１ａとサポータ側マウント面（ハンガーマウント基準面）３１ａが当接される。また、マウント筐体１１には不図示の位置決めピン１３が設けられ、サポータ３のレンズ保持部３１には不図示の位置決め溝３５が設けられている。位置決めピン１３が位置決め溝３５に高精度に嵌合されることで、レンズ装置１とサポータ３の左右方向の位置が規制される。また、レンズマウント（基準部材）１４の光軸基準外周部１４ａがカメラマウント２２の光軸基準内周部（基準径部）２２ａと嵌合することでレンズ装置１とカメラ装置２の光軸が一致し、カメラ装置２のカメラ本体２１に内蔵された撮像素子２３の撮像面に、レンズ装置１の物体側から像側へ光が透過して像が形成される像面が位置するようになっている。
【００１４】
レンズマウント１４とカメラマウント２２はバヨネット方式で互いに固定される。マウント筐体１１の内側（筐体内）に位置するレンズマウント１４の外側には、カメラマウント２２を保持するためのバヨネットリング（固定部材）１５が設けられている。レンズマウント１４の外周部およびバヨネットリング１５の内周部にはネジが形成されており互いに係合している。カメラマウント２２のカメラフランジ面２２ｂとレンズマウント１４のレンズ基準面（第２基準面）１４ｂが当接した状態でバヨネットリング１５を回転させて締め込むことで、レンズ装置１とカメラ装置２が強固に接続される。レンズ装置１とカメラ装置２が接続されることにより撮像装置が構成される。
【００１５】
図３に示すように、レンズ装置１のフランジバック長ＤＬはハンガー側フランジバック長ＤＨよりも長くなっている。したがって、レンズマウント１４のレンズ基準面１４ｂがレンズ側マウント面１１ａよりも被写体側に位置するため、レンズ基準面１４ｂおよびバヨネットリング１５はマウント筐体１１に覆われる。マウント筐体１１には、外側からバヨネットリング１５が配置された空間まで貫通した切欠き部１１ｂが形成されており、レンズ装置１の外側からバヨネットリング１５を回転操作できるようになっている。また、バヨネットリング１５には操作レバー（操作部材）１６が設けられており、操作レバー１６の一部が切欠き部１１ｂを通してマウント筐体１１の外側に突出することで、操作レバー１６を用いてバヨネットリング１５を回転操作できるようになっている。
【００１６】
たとえば、レンズ装置１が１．２５型８Ｋセンサー用レンズであった場合、ハンガー側フランジバック長ＤＨを２／３型４Ｋセンサー用レンズと同じ寸法（６９ｍｍ）にすることで、サポータ３を共用することが可能である。また、レンズマウント１４のレンズ側のレンズ側マウント面１１ａよりカメラ装置側に突出した箇所の最大径Ｒ２はバヨネットリング１５の外径Ｒ１よりも小さい。そのため、バヨネットリング１５がレンズ側マウント面１１ａよりもカメラ装置側に突出する（ＤＨ＞ＤＬ）場合と比較して、サポータ３のレンズ保持部３１に形成された貫通穴３１ｂを小さくできる。その結果、サポータ３の強度が向上し、また、レンズ側マウント面１１ａとサポータ側マウント面３１ａの接触面積をより広くできるため、レンズ装置の保持が安定する。
【００１７】
本実施例では、バヨネットリングを回転操作可能にするために、マウント筐体に切欠きを形成し、かつ、操作レバーを設けたが、どちらか一方のみでも十分である。
【００１８】
以上、本発明の好ましい実施形態について説明したが、本発明はこれらの実施形態に限定されず、その要旨の範囲内で種々の変形および変更が可能である。
【符号の説明】
【００１９】
１  ・・・レンズ装置
１１  ・・・マウント筐体（筐体）
１１ａ  ・・・レンズ側マウント面（ハンガーマウント面）
１４  ・・・レンズマウント
１４ａ  ・・・光軸基準外周部（基準径部）
１４ｂ  ・・・レンズ基準面（バヨネットマウント基準面）
１５  ・・・バヨネットリング
２２ａ  ・・・光軸基準内周部（基準径部）
３１  ・・・レンズ保持部
【図１】
2019211622.tif 000003
【図２】
2019211622.tif 000004
【図３】
2019211622.tif 000005